(57)【要約】【課題】ジェット織機のエネルギー消費及び流体消費が低減され、ジェット織機の生産性が向上される、緯糸を糸通路に沿ってジェット織機へ供給する装置を提供すること。【解決手段】緯糸を糸通路に沿ってジェット織機へ供給する装置であって、当該装置が、コーンホルダ２１及び糸切断ユニット３０を有する緯糸クリール１であって、コーンホルダ２１と、糸切断ユニット３０が各糸通路に割り当てられている緯糸クリール１と、緯糸の少なくとも１つの内在的な特性を特定するため、及びジェット織機の流体供給を制御するための制御ユニットと接続されるために構成された糸センサユニット４０とを含んでいる、前記装置において、複数の糸センサユニット４０が設けられており、これら糸センサユニット４０のうち少なくとも１つが各糸通路に割り当てられており、糸センサユニット４０のそれぞれが緯糸クリール１に不動に取り付けられている。
2018536773.tif 000002
【特許請求の範囲】
【請求項１】
緯糸（１０）をいくつかの糸通路に沿ってジェット織機へ供給するための装置であって、当該装置が、
いくつかのコーンホルダ（２１，２１’，・・・）及びいくつかの糸切断ユニット（３０，３０’，・・・）を有する緯糸クリール（１）であって、前記いくつかのコーンホルダ（２１，２１’，・・・）のうち少なくとも１つと、前記いくつかの糸切断ユニット（３０，３０’，・・・）のうち少なくとも１つとが前記各糸通路に割り当てられている前記緯糸クリールと、
緯糸の少なくとも１つの内在的な特性を特定するため、及び前記ジェット織機の流体供給を制御するための制御ユニットと接続されるために構成された糸センサユニット（４０，４０’，・・・）と
を含んでいる、前記装置において、
複数の前記糸センサユニット（４０，４０’，・・・）が設けられており、これら複数の前記糸センサユニット（４０，４０’，・・・）のうち少なくとも１つが前記各糸通路に割り当てられており、複数の前記糸センサユニット（４０，４０’，・・・）のそれぞれが、前記緯糸クリール（１）に不動に取り付けられていることを特徴とする装置。
【請求項２】
複数の前記糸センサユニット（４０，４０’，・・・）のそれぞれが、以下のグループ：単位長さ当たりの糸の質量、糸の直径、糸の密度、糸の表面構造、糸の毛羽節、糸の材料から選択された、前記緯糸の少なくとも１つの内在的な特性を測定するために構成されていることを特徴とする請求項１に記載の装置。
【請求項３】
複数の前記糸センサユニット（４０，４０’，・・・）のそれぞれが、前記緯糸（１０）の少なくとも１つの、好ましくは２つの内在的な特性を測定するための少なくとも１つの糸センサ、好ましくは２つの糸センサを含んでいることを特徴とする請求項１又は２に記載の装置。
【請求項４】
前記少なくとも１つの糸センサユニット（４０，４０’，・・・）が、前記少なくとも１つの糸切断ユニット（３０，３０’，・・・）の下流に、好ましくは３〜１０センチメートル以内で配置されていることを特徴とする請求項１〜３のいずれか１項に記載の装置。
【請求項５】
前記糸切断ユニット（３０）の糸出口（３１）と、前記少なくとも１つの糸センサユニット（４０）の糸入口（４１）とが、前記糸切断ユニット（３０）から前記糸センサユニット（４０）への前記糸通路が直線からう回するように、オフセットされていることを特徴とする請求項１〜４のいずれか１項に記載の装置。
【請求項６】
前記ジェット織機の流体供給制御ユニットが、前記クリール（１）に配置されているとともに、複数の前記糸センサユニット（４０，４０’，・・・）に接続されていることを特徴とする請求項１〜５のいずれか１項に記載の装置。
【請求項７】
少なくとも１つの緯糸貯蔵ユニット（５０，５０’，・・・）を更に含み、該緯糸貯蔵ユニットから前記緯糸（１０）が前記ジェット織機へ挿入可能であり、各糸通路が、前記糸センサユニット（４０，４０’，・・・）の下流に配置された１つの緯糸貯蔵ユニット（５０，５０’，・・・）を備えていることを特徴とする請求項１〜６のいずれか１項に記載の装置。
【請求項８】
前記少なくとも１つの糸センサユニット（４０，４０’，・・・）と前記少なくとも１つの緯糸貯蔵ユニット（５０，５０’，・・・）の間に糸ガイド（５２，５２’，・・・）が配置されていることを特徴とする請求項７に記載の装置。
【請求項９】
前記少なくとも１つの糸センサユニット（４０，４０’，・・・）が、ヤーンクリアラの測定ヘッドとして設定されていることを特徴とする請求項１〜８のいずれか１項に記載の装置。
【請求項１０】
各糸通路に前記コーンホルダの対（２１．１，２１．１’，・・・；２１．２，２１．２’，・・・）が割り当てられていることを特徴とする請求項１〜９のいずれか１項に記載の装置。
【請求項１１】
ジェット織機を制御するための装置であって、前記ジェット織機が流体供給導管に沿って配置された複数のリレーノズルを含んでおり、前記装置が、前記流体供給導管における流体の流れを生成する、時間がずらされた流体パルスを放出するために、前記リレーノズルを作動させるための流体供給制御ユニットを含んでおり、前記流体の流れを用いて緯糸が前記流体供給導管を通って搬送可能である、前記装置において、
請求項１〜１０のいずれか１項に記載の装置が、前記流体供給導管に関して上流において、前記緯糸（１０）の少なくとも１つの内在的な特性を特定するための複数の糸センサユニット（４０，４０’，・・・）を備えており、前記流体供給制御ユニットが、それぞれ搬送された緯糸部分のあらかじめ特定された少なくとも１つの内在的な特性に基づいて前記リレーノズルを作動させるように構成されていることを特徴とする装置。
【請求項１２】
ジェット織機、好ましくはエアジェット織機又はウォータジェット織機であって、当該ジェット織機を制御するための装置を有するジェット織機において、
前記ジェット織機を制御するための装置が、請求項１１に記載の装置であることを特徴とするジェット織機。
【発明の詳細な説明】
【技術分野】
【０００１】
本発明は、独立請求項の前文による、緯糸をいくつかの糸通路に沿ってジェット織機へ供給するための装置に関するものである。
【背景技術】
【０００２】
緯糸を供給するための装置は、典型的には、緯糸コーンを支持するいくつかのコーンホルダ又はコーンホルダ対を有するクリールを含んでいる。緯糸は、コーンからほどかれ、糸切断ユニットを通して緯糸貯蔵ユニットへ向けられ、緯糸貯蔵ユニットから緯糸がジェット織機へ挿入される。
【０００３】
挿入されるべき緯糸をモニタ又は測定するために、少なくとも１つの内在的な（本来備わっている）糸パラメータを測定するための糸センサが織機内で用いられる。以下の文献：特許文献１〜特許文献３から例が提供される。
【０００４】
「内在的な」糸特性は、糸自体の形成又は構造によって得られる糸特性と理解される。内在的な糸特性の例は、単位長さ当たりの質量、直径、密度、表面構造、毛羽節、材料組成、異物の存在などである。これに対して、外在的な特性は、外部の影響又は基準系に依存するような糸特性である。外在的な糸特性の例は、ある基準系に対する糸速度若しくは糸加速度、ある基準系における糸先端部の位置、又は外部の引張力に依存する機械的な糸張力である。
【０００５】
外在的な糸特性のためのセンサを有するクリールが従来技術から知られている。特許文献４には、コーンを支持する各コーンホルダのための糸切断センサを有するクリールが開示されている。センサが、クリール全体の糸切断をモニタする中央処理装置に接続されている。特許文献５にも、糸切断センサを有するクリールが開示されている。特許文献６には、クリールからの糸分離速度を最適化するための方法が開示されている。この目的のために、クリールは、糸バルーンのサイズを記録する糸バルーンセンサを備えている。特許文献７には、クリールと織機の間に配置された速度センサが開示されている。特許文献８には、クリールからほどかれる糸の長さを特定するための長さ測定センサが開示されている。
【０００６】
特許文献２に開示されているように、内在的な糸パラメータを測定するための糸センサは、ジェット織機のエネルギー消費及び流体消費を最適化するために、ジェット織機を制御するために用いることができる。ジェット織機は、流体供給導管に沿って配置された複数のリレーノズルを含んでいる。緯糸は、流体供給導管内へ導入される。リレーノズルは、流体供給導管における流体の流れを生成する、時間がずらされた流体パルスを放出するために作動される。緯糸は、流体の流れによって、流体供給導管を通して搬送される。特許文献２において提案されているように、流体供給導管内へ導入されるべき緯糸部分の少なくとも２つの異なる個別の内在的な特性が糸センサによって特定される。これらセンサは、クリールとジェット織機の緯糸貯蔵ユニットの間の分離されたスタンドに配置される。リレーノズルは、それぞれ搬送される緯糸部分の少なくとも２つの異なる個別の内在的な、あらかじめ特定された特性に基づいて作動される。
【先行技術文献】
【特許文献】
【０００７】
【特許文献１】国際公開第２０１２／０６８６９７号
【特許文献２】国際公開第２０１２／０６８６９８号
【特許文献３】国際公開第２０１３／０１０２７８号
【特許文献４】特開２００６−１９３３１３号公報
【特許文献５】独国特許出願公開第４３１２８２３号明細書
【特許文献６】欧州特許出願公開第１２４５７０５号明細書
【特許文献７】英国特許第１５１６３５６号明細書
【特許文献８】特開２００４−１５６１８７号公報
【発明の概要】
【発明が解決しようとする課題】
【０００８】
本発明の課題は、ジェット織機のエネルギー消費及び流体消費が低減され、ジェット織機の生産性が向上される、緯糸をいくつかの糸通路に沿ってジェット織機へ供給するための装置を提供することにある。
【課題を解決するための手段】
【０００９】
上記課題又は他の課題は、独立請求項において規定されているように、本発明による装置によって達成される。有利な実施例は、従属請求項に開示されている。
【００１０】
本発明による、緯糸をいくつかの糸通路に沿ってジェット織機へ供給するための装置は、いくつかのコーンホルダ及びいくつかの糸切断ユニットを有する緯糸クリールであって、いくつかのコーンホルダのうち少なくとも１つと、いくつかの糸切断ユニットのうち少なくとも１つとが各糸通路に割り当てられている前記緯糸クリールを含んでいる。装置は、緯糸の少なくとも１つの内在的な特性を特定するために、及びジェット織機の流体供給を制御する制御ユニットと接続されるために構成された糸センサユニットを更に含んでいる。複数の糸センサユニットが設けられている。複数の糸センサユニットのうち少なくとも１つが各糸通路に割り当てられており、複数の糸センサユニットのそれぞれが、緯糸クリールに不動に取り付けられている。
【００１１】
いくつかの実施例では、複数の糸センサユニットのそれぞれが、以下のグループ：単位長さ当たりの糸の質量、糸の直径、糸の密度、糸の表面構造、糸の毛羽節、糸の材料から選択された、緯糸の少なくとも１つの内在的な特性を測定するために構成されている。
【００１２】
複数の糸センサユニットのぞれぞれは、緯糸の少なくとも１つの、好ましくは２つの内在的な特性を測定するための少なくとも１つの糸センサ、好ましくは２つの糸センサを含んでいる。
【００１３】
いくつかの実施例では、少なくとも１つの糸センサユニットが、少なくとも１つの糸切断ユニットの下流に、好ましくは３〜１０センチメートル以内で配置されている。２つのユニットのこのような近傍の位置決めによって、緯糸の起こり得る振動の振幅が低減されることができ、測定精度の向上につながる。
【００１４】
いくつかの実施例では、糸切断ユニットの糸出口と、少なくとも１つの糸センサユニットの糸入口とが、糸切断ユニットから糸センサユニットへの糸通路が直線からう回するとともに糸が糸入口のエッジ部を越えるように、オフセットされている。糸をほどくことに起因する、センサ（センサ通路）を通る理想的な糸通路から外れた緯糸の振動は、更に低減されることができ、測定精度の向上につながる。
【００１５】
いくつかの実施例では、ジェット織機の流体供給制御ユニットが、クリールに配置されているとともに、複数の糸センサユニットに接続されている。
【００１６】
いくつかの実施例では、装置は、少なくとも１つの緯糸貯蔵ユニットを更に含み、該縦糸貯蔵ユニットから緯糸がジェット織機へ挿入可能であり、各糸通路が、糸センサユニットの下流に配置された１つの糸通路貯蔵ユニットを備えている。センサユニットの出口と緯糸貯蔵ユニットの間で糸通路をより正確に規定するために、少なくとも１つの糸センサユニットと少なくとも１つの緯糸貯蔵ユニットの間に糸ガイドを配置することが可能である。また、糸ガイドは、センサユニットの出口近傍に配置されることが可能であるとともに、糸通路の直線からのう回路を規定するためにオフセットされることが可能であり、センサユニットを通る糸のよりスムーズな通過につながる。
【００１７】
少なくとも１つの糸センサユニットが、ヤーンクリアラ（ｙａｒｎ−ｃｌｅａｒｅｒ）の測定ヘッドとして設定されている。このようなヤーンクリアラの測定ヘッドは、従来技術からよく知られている。通常、これらヤーンクリアラの測定ヘッドは、糸の品質をモニタするために、紡糸機又は巻線機に取り付けられている。
【００１８】
好ましくは、各糸通路にコーンホルダの対が割り当てられている。
【００１９】
本発明はジェット織機を制御するための装置に関するものであり、ジェット織機は、流体供給導管に沿って配置された複数のリレーノズルを含んでいる。装置は、流体供給導管における流体の流れを生成する、時間がずらされた流体パルスを放出するために、リレーノズルを作動させるための流体供給制御ユニットを含んでおり、流体の流れを用いて緯糸が流体供給導管を通って搬送可能である。上述したような、緯糸をいくつかの糸通路に沿ってジェット織機へ供給するための装置が、流体供給導管に関する上流に設けられている。この装置は、緯糸の少なくとも１つの内在的な特性を特定するための複数の糸センサユニットを有している。流体供給制御ユニットは、あらかじめ特定された、それぞれ搬送された緯糸部分の少なくとも１つの内在的な特性に基づいてリレーノズルを作動させるように構成されている。
【００２０】
本発明は、上述の、ジェット織機を制御するための装置を有するジェット織機、好ましくはエアジェット織機又はウォータジェット織機に関するものでもある。
【００２１】
したがって、本発明は、緯糸部分の少なくとも１つの内在的な特性を測定する糸センサユニットを含む装置を提案する。緯糸クリールにおけるコーンホルダ又はコーンホルダ対の数に依存して、いくつかの緯糸通路が規定されている。いくつかの緯糸通路のそれぞれは、クリールに不動に取り付けられた少なくとも１つの糸センサユニットを備えている。コーン及びこれにつづく糸切断ユニットに関する糸センサユニットの固定された位置により、センサを通るそれぞれ個別の糸通路がより正確に規定されている。また、センサは、糸切断ユニットのより近傍に配置されることが可能である。この理想的な糸通路からの緯糸の振動は低減され、センサユニットを通る糸の流れがよりスムーズとなり、これにより、センサユニットの測定精度が向上する。測定精度の小さな向上によってもジェット織機がより良好に制御され、エネルギー消費及び流体消費の大幅な低減につながることが実験により示された。流体供給導管を通る流体の流れによる緯糸の搬送がいくつかの内在的な糸パラメータに依存するため、これら内在的な糸特性のより正確な測定により、挿入されるべき緯糸部分の個別の特性へのジェット織機制御のより良好な適合が可能となった。
【００２２】
以下に、図面を参照しつつ本発明の好ましい実施例を説明する。
【図面の簡単な説明】
【００２３】
【図１】本発明による装置の概略を示す図である。
【図２】本発明による装置の斜視図である。
【図３】糸貯蔵ユニットを含む、図２の装置の斜視図である。
【図４】図２の装置の詳細図である。
【発明を実施するための形態】
【００２４】
図１には、緯糸１０を緯糸通路に沿ってジェット織機（不図示）へ供給するための装置が概略的に示されている。この装置は、主に、いくつかのコーンホルダ２１，２１’，２１”を有するクリール１を含んでいる。各コーンホルダ２１，２１’，２１”は、緯糸１０のコーン２０を保持することが可能である。各コーン２０からの緯糸１０は、装置内の個別の糸通路に従う。クリール１は、いくつかの糸切断ユニット３０，３０’，３０”を更に含んでおり、１つの糸切断ユニットは、コーンホルダ２１，２１’，２１”の下流における各糸通路に設けられている。糸切断ユニット３０，３０’，３０”の下流に配置されているとともにクリール１に不動に取り付けられた１つの糸センサユニット４０，４０’，４０”を各糸通路が更に備えている。図示されているクリール１は、コーンホルダ、糸切断ユニット及び糸センサユニットを有するこの構成のうち４つを有しており、各構成は１つの糸通路を規定している。糸センサユニットは、単位長さ当たりの糸の質量、糸の直径、糸の密度、糸の表面構造、糸の毛羽節、糸の材料のような、緯糸部分の２つの異なる内在的な（本来備わっている）特性を測定するための２つの糸センサを有する糸センサユニットであり得る。
【００２５】
図２には、図１の概略的な装置の実施例の斜視図が示されている。各糸通路について１つのコーンホルダ２１に代えて、図２の装置は、空のコーンをより迅速に交換するためにコーンホルダ対２１．１，２１．２を備えている。糸センサユニット４０，４０’，４０”は、理想的な糸通路から外れた緯糸の起こり得る振動を最小化するために、糸切断ユニット３０，３０’，３０”の下流に直接、かつ、この糸切断ユニット３０，３０’，３０”のできる限り近傍に取り付けられている。糸センサユニット４０，４０’，４０”は中空ポールに取り付けられることが可能であり、この中空ポール内では、センサのケーブルを、センサのための電子部品及び制御ユニットを格納するクリール１のカバー２へガイドすることが可能である。これらケーブルは、ジェット織機の流体供給制御ユニットへ更に接続可能である。
【００２６】
図３には、各糸通路のための糸貯蔵ユニット５０，５０’を含む、図２の装置の斜視図が示されている。糸貯蔵ユニット５０，５０’は、クリール１の下流かつジェット織機の上流に配置された、分離された糸貯蔵ユニットスタンド（ホルダ）５１に取り付けられている。緯糸は、糸貯蔵ユニット５０，５０’からジェット織機内へ挿入される。糸ガイド５２，５２’が、各糸通路に対して糸ガイドアーム５３を介して設けられている。糸ガイド５２，５２’は、糸センサユニット４０，４０’の出口の近傍に配置されることができるとともに、センサユニットを通して直線からの糸のう回路を規定することが可能であり、センサユニット４０，４０’を通る糸のよりスムーズな通過につながる。
【００２７】
図４には、図２の装置の糸切断ユニット３０及び糸センサユニット４０の詳細図が示されている。糸切断ユニット３０は、出口開口部３１を備えたブレードを有する標準糸切断部であり得る。糸切断部の出口３１及び糸センサユニット４０の入口４１は、数センチメートル以内、好ましくは３〜１０センチメートルで配置されているとともに、緯糸が直線通路からう回するようにわずかにオフセットされている。コーンからの糸をほどくことに起因する緯糸の振動は、糸切断ユニットによってあらかじめ低減されているものの、センサ通路４３を通るスムーズな直線に緯糸が従うように更に低減される。このようにして、測定精度が大幅に向上する。
【００２８】
本発明は、上述の実施例に限定して理解されない。当業者は、本発明の主題にも属する本発明の認識をもって別の変形例を得ることが可能である。
【符号の説明】
【００２９】
１            緯糸クリール
２            制御ユニットを有するカバー
１０          緯糸
２０，２０’，・・・  コーン
２１，２１’，・・・  コーンホルダ
２１．１，２１．１’，・・・，２１．２，２１．２’  コーンホルダ対
３０，３０’，・・・  糸切断ユニット
３１          糸切断ユニットの出口
４０，４０’  糸センサユニット
４１          糸センサユニットの入口
４２          糸センサユニットの出口
４３          センサ通路
５０，５０’，・・・  緯糸貯蔵ユニット
５１          緯糸貯蔵ユニットスタンド（ホルダ）
５２，５２’，・・・  糸ガイド
５３          糸ガイドアーム
【図１】
2018536773.tif 000003
【図２】
2018536773.tif 000004
【図３】
2018536773.tif 000005
【図４】
2018536773.tif 000006
【国際調査報告】
2018536773.tif 000007
2018536773.tif 000008